(57)【要約】【課題】より高い品質を有する複数の加飾物を、安定して、連続製造可能な装置を提供する。【解決手段】水槽１８内の水の全量を排出する排水手段４５，４４の排水口２８を、水槽１８の最深部に設ける一方、水槽１８内に水を供給する給水手段２０の給水口６６を、給水口６６から水槽１８内に向かって流れる水の流れの中心線：Ｒ’が、排水口２８を通る鉛直線：Ｘ上の一点：βと給水口６６の中心点：αとを結ぶ直線：Ｓに対して、水槽１８の周壁部の周方向において交差する位置に設けて、構成した。【選択図】図４
2014231173.tif 000002
【特許請求の範囲】
【請求項１】
水槽と、給水口を通じて、該水槽内に水を供給する給水手段と、排水口を通じて、該水槽内の水の全量を外部に排出する排水手段とを有し、加飾層が表面上に形成された水溶性フィルムが該水槽内の水面上に浮かべられた状態で、被加飾物が該水溶性フィルム上の該加飾層に押し当てられて、水没させられることにより、該加飾層が該被加飾物の表面に転写されて、加飾物が製造されるように構成された装置であって、
前記排水口が、前記水槽の最深部に設けられている一方、前記給水口が、該給水口から該水槽内に向かって流れる水の流れの中心線を、該排水口の中心点を通って鉛直方向に延びる鉛直線上の一点と該給水口の中心点とを結ぶ直線に対して、該水槽の周壁部の周方向において交差させる位置に設けられていることを特徴とする加飾物の製造装置。
【請求項２】
前記水槽の周壁部が、上下方向に延びる円筒形状を有し、且つ該円筒状周壁部に対して、その下側開口部を閉塞する底壁部が一体的に設けられて、前記水槽が構成され、更に、前記排水口が、該水槽の底壁部に設けられている請求項１に記載の加飾物の製造装置。
【請求項３】
前記水槽の底壁部が、下方に向かって次第に小径化するテーパ筒形状を呈し、該テーパ筒状底壁部の小径側開口部にて、前記排水口が構成されている請求項２に記載の加飾物の製造装置。
【請求項４】
前記排水手段が、前記排水口に連通状態で接続された管状の排水流路と、該排水流路の途中に設けられて、該排水流路内の水の流れを開閉する開閉手段とを含んで構成されていると共に、該排水口流路に、該排水流路を通じて前記水槽内から排出される排水中に含まれる、前記被加飾物への転写に使用されなかった前記加飾層の一部や前記水溶性フィルムの残滓を該排水中から除去するための濾過手段が設けられている請求項１乃至請求項３のうちの何れか１項に記載の加飾物の製造装置。
【請求項５】
前記水槽から前記排水流路を通じて排出されて、前記濾過手段にて濾過された水を貯える貯水タンクが設けられていると共に、前記給水手段が、該貯水タンク内の水を、前記給水口を通じて、該水槽内に供給するように構成されている請求項４に記載の加飾物の製造装置。
【請求項６】
前記水槽が、着脱可能に構成されて、容積が互いに異なる複数種類の水槽の中から任意に選択されたものに交換可能とされている請求項１乃至請求項５のうちの何れか１項に記載の加飾物の製造装置。
【請求項７】
加飾層が表面上に形成された水溶性フィルムを、水槽内の水面上に浮かべる工程と、被加飾物を、該水槽内の水面上に浮かべられた該水溶性フィルム上の該加飾層に押し当てて、水没させることにより、該加飾層を該被加飾物の表面に転写する工程と、該被加飾物の表面への該加飾層の転写後に、該水槽内から全量の水を排出させる工程と、該水槽内から全量の水を排出した後に、再び該水槽内に水を供給する工程とを、１サイクルとして、該サイクルを繰り返し行なうことにより、該加飾層が表面に転写された加飾物を連続的に製造する方法において、
前記水槽として、前記排水口が最深部に設けられてなるものを用い、前記被加飾物の表面への前記加飾層の転写後に、該水槽内から全量の水を排出させるのに先立って、該排水口の中心点を通って鉛直方向に延びる鉛直線上の一点と前記給水口の中心点とを結ぶ直線に対して、該水槽の周壁部の周方向において交差する方向に向かって、該給水口から該水槽内に水を供給することにより、該水槽内に該周壁部の周方向への水流を形成し、そして、該水流が維持されている間に、該水槽内から全量の水を排出させる工程を行うことを特徴とする加飾物の製造方法。
【請求項８】
前記被加飾物の表面への前記加飾層の転写後に、前記水槽内から排出される水を濾過して、該排水中に含まれる、前記被加飾物への転写に使用されなかった前記加飾層の一部や前記水溶性フィルムの残滓を該排水中から除去するようにした請求項７に記載の加飾物の製造方法。
【請求項９】
前記加飾層の一部や前記水溶性フィルムの残滓が濾過により除去された前記排水を、前記供給口から前記水槽内に再び供給するようにした請求項８に記載の加飾物の製造方法。
【発明の詳細な説明】
【技術分野】
【０００１】
本発明は、加飾物の製造装置と製造方法とに係り、特に、被加飾物を、水面上に浮かべられた水溶性フィルムの表面に設けられる加飾層に押し当てて、水没させることにより、加飾層を被加飾物の表面に転写して、加飾物を製造するようにした加飾物の製造装置の改良と、そのような加飾物の有利な製造方法とに関するものである。
【背景技術】
【０００２】
よく知られているように、所定の図柄や模様等を有する加飾層を被加飾物の表面に形成して、加飾物を製造する装置には、様々な構造を有するものがあり、それら各種の製造装置は、加飾物の製造に際して、例えば、被加飾物の形状や大きさ、或いは加飾層の被加飾物表面への形成条件等に適した構造を有するものが適宜に選択されて、使用されている。そして、そのような加飾物の製造装置の一種として、例えば、特開平４−４３１００号公報（特許文献１）等に明らかにされるような加飾物の製造装置が知られている。
【０００３】
この加飾物の製造装置は、水槽と、水槽内に水を供給する給水装置とを有している。そして、水溶性（水膨潤性を含む）フィルムの表面上に、インキや塗料等を用いた印刷層等からなる、水に不溶の加飾層が形成された、所謂転写フィルムが、給水装置により給水された水槽内の水面上に浮かべられて、転写フィルムの水溶性フィルムが水に溶けたときに、被加飾物が、水面上の加飾層に押し当てられて、水没させられることにより、加飾層が被加飾物の表面に転写されて、目的とする加飾物が製造されるようになっている。
【０００４】
このような加飾物の製造装置を用いることによって、三次元形状等の比較的に複雑な形状を有する被加飾面に対して、加飾層を容易に形成することができる。それ故、かかる製造装置は、例えば、複数種類の曲面が組み合さわれてなる表面に、様々な模様が施されてなる自動車用内装部品等を製造するための装置として、好適に利用されている。
【０００５】
ところで、上記の如き構造を有する加飾物の製造装置を用いれば、水槽内の水面上に転写フィルムを浮かべる工程と、被加飾物を転写フィルムの加飾層に押し当てて、水没させる工程とを１サイクルとして、かかるサイクルを繰り返し実施することによって、複数の加飾物を連続的に製造することができる。しかしながら、そのようにして、複数の加飾物を連続的に製造する際には、前回の転写工程で使用されなかった加飾層の一部や水溶性フィルムの残滓（以下、転写フィルムの残滓と言う）が、次回の転写工程のために水槽内の水面上に浮かべられた転写フィルムに付着し、それによって、製造される加飾物の品質低下が惹起される恐れがあった。
【０００６】
すなわち、転写フィルムは、水溶性フィルムが水に溶解（膨潤し、分解）したときに、加飾層の全体が展伸するといった特徴を有しているが、転写フィルムに異物が付着していると、水溶性フィルムのうちの異物が付着している部分とそれ以外の部分との間で溶け方が違ってくる。そのため、転写フィルムの残滓が、次回の転写工程のために水槽内の水面上に浮かべられた新たな転写フィルムに付着すると、水溶性フィルムが水に溶けたときの加飾層の展伸量に部分的な差異が生じて、加飾層の柄が部分的に変化してしまい、その結果、そのような加飾層が表面に転写された加飾物の外観が低下するといった問題が生ずる可能性があるのである。
【０００７】
そこで、上記の如き構造を有する従来の加飾物の製造装置には、複数の加飾物を連続的に製造する際に、水槽内の水面上に浮かべられた転写フィルムへの異物の付着を防止するための工夫が、施されている。即ち、かかる製造装置においては、水槽が仕切壁によって二つに仕切られて、水槽内に、転写槽と浄化槽とが形成されている。また、水が、転写槽内に、給水装置によって連続的に供給される一方、かかる連続給水により転写槽内からオーバーフローした（溢れ出した）水が、仕切壁を超えて、浄化槽内に流出するようになっている。かくして、かかるオーバーフロータイプの加飾物の製造装置においては、転写槽内で、被加飾物の表面への加飾層の転写が行われる一方、転写槽内の水中に残存して、浮遊する転写フィルムの残滓が、転写槽からオーバーフローした水と共に、転写槽内から浄化槽内に流出して、転写槽内に貯留される貯留水中から除去されるように構成されている。そして、それにより、複数の加飾物を連続的に製造する際に、転写フィルムの残滓が、次回の転写工程のために転写槽内の水面上に浮かべられた水溶性フィルムに対して可及的に付着しないように工夫されているのである。
【０００８】
ところが、そのような従来のオーバーフロータイプの製造装置では、あくまでも、転写槽内の貯留水中に含まれる転写フィルムの残滓のうち、転写槽内から溢れ出した貯留水の表層部分に含まれるものだけが除去されるようになっていた。そのため、転写槽内から溢れ出さずに、転写槽内に留まる貯留水の表層以外の部分に含まれる転写フィルムの残滓を除去することができず、それ故に、前回使用された転写フィルムの残滓が、転写槽内の水面上に浮かべられた新たな転写フィルムに付着することを皆無とすることが、到底、不可能であった。従って、従来のオーバーフロータイプの加飾物の製造装置では、複数の加飾物を、十分に満足し得る程の高い品質をもって連続的に製造することが、困難であったのである。
【０００９】
なお、複数の加飾物を連続的に製造する際に、水槽（転写槽）内の貯留水中から転写フィルムの残滓を完全に除去するには、被加飾物表面への加飾層の転写工程の終了毎に、水槽内から貯留水の全量を排出した後、再び、水槽内に給水することが考えられる。そして、そのように、１回の加飾物の製造工程が終了する毎に、水槽内の貯留水の全量を交換するようにした、所謂貯留水交換タイプの加飾物の製造装置も、例えば、小型の加飾物を製造する際等において、実際に使用されている。
【００１０】
しかしながら、そのような従来の貯留水交換タイプの加飾物製造装置にあっても、水槽内の水面上に浮かべられる転写フィルムに対する、前回使用された転写フィルムの残滓の付着の問題を完全に解消することが困難であった。
【００１１】
すなわち、水槽内の貯留水中に残存する転写フィルムの残滓の中には、貯留水中を浮遊している間に水槽の内周面に付着するものや、沈降して、水槽の底面に堆積し、付着するものがある。一方、従来の貯留水交換タイプの加飾物製造装置は、単に、水槽が傾けられる等して、水槽の上側開口から、水槽内の貯留水が排出されるか、或いは水槽の底部等に設けられた排水口を閉塞する栓等が開放されることにより、水槽内の貯留水が、かかる排水口から自重によって排出されるに過ぎないものであった。そのため、かかる製造装置では、貯留水中に浮遊する転写フィルムの残滓が、排出される貯留水と共に完全に除去されるものの、水槽の内周面や底面に付着した転写フィルムの残滓を除去することが困難であった。このような水槽の内周面や底面に付着した転写フィルムの残滓は、水槽内への給水時に生ずる水流により、水槽の内周面や底面から剥がれて、水槽内の貯留水中に再び浮遊する恐れがある。従って、従来の貯留水交換タイプの加飾物製造装置にあっても、複数の加飾物を連続的に製造するに際して、水槽内の水面上に浮かべられた転写フィルムに対して、前回使用された転写フィルムの残滓が付着する可能性があったのである。
【先行技術文献】
【特許文献】
【００１２】
【特許文献１】特開平４−４３１００号公報
【発明の概要】
【発明が解決しようとする課題】
【００１３】
ここにおいて、本発明は、上記した事情を背景にして為されたものであって、その解決課題とするところは、複数の加飾物を続けて製造する際に、水槽内の水面上に浮かべられる転写フィルムに対する、前回使用された転写フィルムの残滓の付着が、より確実に防止され、以て、高い品質を有する複数の加飾物が、安定して、連続的に製造され得る加飾物の製造装置と製造方法を提供することにある。
【課題を解決するための手段】
【００１４】
そして、本発明は、かかる課題の解決のために、水槽と、給水口を通じて、該水槽内に水を供給する給水手段と、排水口を通じて、該水槽内の水の全量を外部に排出する排水手段とを有し、加飾層が表面上に形成された水溶性フィルムが該水槽内の水面上に浮かべられた状態で、被加飾物が該水溶性フィルム上の該加飾層に押し当てられて、水没させられることにより、該加飾層が該被加飾物の表面に転写されて、加飾物が製造されるように構成された装置であって、前記排水口が、前記水槽の最深部に設けられている一方、前記給水口が、該給水口から該水槽内に向かって流れる水の流れの中心線を、該排水口の中心点を通って鉛直方向に延びる鉛直線上の一点と該給水口の中心点とを結ぶ直線に対して、該水槽の周壁部の周方向において交差させる位置に設けられていることを特徴とする加飾物の製造装置を、その要旨とするものである。
【００１５】
なお、本発明の好ましい態様の一つによれば、前記周壁部が、上下方向に延びる円筒形状を有し、且つ該円筒状周壁部に対して、その下側開口部を閉塞する底壁部が一体的に設けられて、前記水槽が構成され、更に、前記排水口が、該水槽の底壁部に設けられることとなる。
【００１６】
また、本発明の有利な態様の一つによれば、前記水槽の底壁部が、下方に向かって次第に小径化するテーパ筒形状を呈し、該テーパ筒状底壁部の小径側開口部にて、前記排水口が構成される。
【００１７】
さらに、本発明の望ましい態様の一つによれば、前記排水手段が、前記排水口に連通状態で接続された管状の排水流路と、該排水流路の途中に設けられて、該排水流路内の水の流れを開閉する開閉手段とを含んで構成されると共に、該排水口流路に、該排水流路を通じて前記水槽内から排出される排水中に含まれる、前記被加飾物への転写に使用されなかった前記加飾層の一部や前記水溶性フィルムの残滓を該排水中から除去するための濾過手段が設けられる。
【００１８】
更にまた、本発明の好適な態様の一つによれば、前記水槽から前記排水流路を通じて排出されて、前記濾過手段にて濾過された水を貯える貯水タンクが設けられると共に、前記給水手段が、該貯水タンク内の水を、前記給水口を通じて、該水槽内に供給するように構成される。
【００１９】
また、本発明の別の有利な態様の一つによれば、前記水槽が、着脱可能に構成されて、容積が互いに異なる複数種類の水槽の中から任意に選択されたものに交換可能とされる。
【００２０】
そして、本発明は、加飾層が表面上に形成された水溶性フィルムを、水槽内の水面上に浮かべる工程と、被加飾物を、該水槽内の水面上に浮かべられた該水溶性フィルム上の該加飾層に押し当てて、水没させることにより、該加飾層を該被加飾物の表面に転写する工程と、該被加飾物の表面への該加飾層の転写後に、該水槽内から全量の水を排出させる工程と、該水槽内から全量の水を排出した後に、再び該水槽内に水を供給する工程とを、１サイクルとして、該サイクルを繰り返し行なうことにより、該加飾層が表面に転写された加飾物を連続的に製造する方法において、前記水槽として、前記排水口が最深部に設けられてなるものを用い、前記被加飾物の表面への前記加飾層の転写後に、該水槽内から全量の水を排出させるのに先立って、該排水口の中心点を通って鉛直方向に延びる鉛直線上の一点と前記給水口の中心点とを結ぶ直線に対して、該水槽の周壁部の周方向において交差する方向に向かって、該給水口から該水槽内に水を供給することにより、該水槽内に該周壁部の周方向への水流を形成し、そして、該水流が維持されている間に、該水槽内から全量の水を排出させる工程を行うことを特徴とする加飾物の製造方法をも、また、その要旨とするものである。
【００２１】
なお、本発明の有利な態様の一つによれば、前記被加飾物の表面への前記加飾層の転写後に、前記水槽内から排出される水が濾過されて、該排水中に含まれる、前記被加飾物への転写に使用されなかった前記加飾層の一部や前記水溶性フィルムの残滓が該排水中から除去されることとなる。
【００２２】
また、本発明の望ましい態様の一つによれば、前記加飾層の一部や前記水溶性フィルムの残滓が濾過により除去された前記排水が、前記供給口から前記水槽内に再び供給される。
【発明の効果】
【００２３】
すなわち、本発明に従う加飾物の製造装置にあっては、複数の加飾物を続けて製造する際に、１回の加飾物の製造工程が終了する毎に、水槽内の水の全量を交換することができる。それ故、前回使用された転写フィルムの残滓のうち、水槽内の水中に浮遊する残滓を、水槽内の貯留水中から、完全に除去することができる。
【００２４】
しかも、本発明に係る加飾物の製造装置においては、水槽内の貯留水を排水口から排出するのに先立って、給水口を通じて給水を行うことで、貯留水に対して、水槽の周壁部の周方向への水流を生じさせることができる。そして、そのような水流が生じている間に排水口からの貯留水の排出操作を行うことによって、貯留水を、水槽内で旋回させながら、水槽の最深部に設けられる排水口から排出させることができる。このとき、水槽の内周面や底面に転写フィルムの残滓が付着している場合には、そのような残滓が、貯留水の旋回流や渦流によって、水槽の内周面や底面から剥がされて、押し流される。これによって、水槽の内周面や底面に付着した転写フィルムの残滓も、水槽内から完全に除去される。
【００２５】
それ故、本発明に係る加飾物の製造装置によれば、複数の加飾物を連続的に製造する際に、転写フィルムの残滓が、次回の転写工程のために水槽内の水面上に浮かべられた転写フィルムに付着することが、効果的に且つ完全に回避され得る。そして、それにより、複数の加飾物を連続的に製造するに際して、製造される加飾物に、転写フィルムへの異物の付着に起因した加飾層の皺や変形等の外観不良が生ずることが、極めて有利に防止され得る。
【００２６】
従って、かくの如き本発明に従う加飾物の製造装置を用いれば、高い品質を有する複数の加飾物が、安定して、連続的に製造され得ることとなるのである。
【００２７】
そして、本発明に従う加飾物の製造方法にあっても、上記した本発明に従う加飾物の製造装置において奏される作用・効果と実質的に同一の作用・効果が、極めて有効に享受され得るのである。
【図面の簡単な説明】
【００２８】
【図１】本発明に従う構造を有する加飾物の製造装置を用いて製造された加飾物の一例を示す断面説明図である。
【図２】本発明に従う構造を有する加飾物の製造装置を示す正面説明図である。
【図３】図２のIII−III断面における部分拡大説明図である。
【図４】図３のIV矢視説明図である。
【図５】図３のＶ−Ｖ断面説明図である。
【図６】図２に示された製造装置を用いて加飾物を製造する工程の一例を示す説明図であって、水槽内に水を供給している状態を示している。
【図７】図６のVII−VII断面説明図である。
【図８】図６に示された工程に引き続いて実施される工程を示す説明図であって、水槽内の水面上に転写フィルムを浮かべた状態を示している。
【図９】図８に示された工程に引き続いて実施される工程を示す説明図であって、水面上に浮かべられた転写フィルムの加飾層を被加飾物の表面に転写している状態を示している。
【図１０】図９に示された工程に引き続いて実施される工程を示す説明図であって、水槽内から水を排出している状態を示している。
【図１１】図２に示された製造装置において、水槽を大型のものに交換した状態を示している。
【図１２】本発明に従う構造を有する加飾物の製造装置の別の例を示す、図７に対応する図である。
【図１３】本発明に従う構造を有する加飾物の製造装置の更に別の例を示す、図７に対応する図である。
【図１４】本発明に従う構造を有する加飾物の製造装置の他の例を示す、図３に対応する図である。
【発明を実施するための形態】
【００２９】
以下、本発明を更に具体的に明らかにするために、本発明の実施の形態について、図面を参照しつつ、詳細に説明する。
【００３０】
先ず、図１には、本発明に従う構造を有する加飾物の製造装置を用いて製造された加飾物の一例としての自動車用内装部品が、その断面形態において示されている。かかる図１から明らかなように、自動車用内装部品１０（以下、単に、内装部品１０と言う）は、樹脂製の平板からなる、被加飾物としての基板１２を有している。そして、この基板１２の厚さ方向一方の面上に、インキや塗料等を用いて形成された、例えば木目模様を呈する印刷層等からなる加飾層１４が積層形成されて、構成されている。なお、基板１２の材質や形状は、何等これに限定されるものではない。また、加飾層１４が、印刷層以外のものでも良く、更には木目模様以外の模様や所定の絵柄であっても何等差し支えない。
【００３１】
このような内装部品１０は、その複数が、例えば、図２に示される如き、本発明に従う構造を有する製造装置の一実施形態としての内装部品製造装置１６（以下、単に、製造装置１６と言う）を用いることによって、連続的に製造される。
【００３２】
図２から明らかなように、本実施形態の製造装置１６は、水槽１８と、給水手段としての給水装置２０と、排水管２２とを有している。なお、以下からは、便宜上、図１の上方側を製造装置１６の上部側と言い、図１の下方側を製造装置１６の下部側と言うこととする。
【００３３】
より具体的には、水槽１８は、図２乃至図４に示されるように、上下方向に延びる円筒状周壁部２４と、かかる円筒状周壁部２４の下側開口部を閉塞する底壁部２６とを一体的に有し、全体として、上方に開口する片側有底の筒体形状を呈している。この水槽１８の円筒状周壁部２４は、比較的に高さの低い円筒形状を呈し、また、底壁部２６は、その内周面が、下方に向かって次第に小径となるテーパ形状を有している。
【００３４】
かかる水槽１８の底壁部２６の中心部には、円形の貫通孔からなる、排水口としての連通口２８が、水槽１８（円筒状周壁部２４）の中心軸：Ｐと同軸的に位置するように、設けられている。即ち、ここでは、底壁部２６が、全体として、下方に向かって次第に小径化するテーパ筒形状を呈し、その小径側開口部が、連通口２８とされている。また、水槽１８の最深部に、連通口２８が形成されている。更に、そのような連通口２８が、その中心点：Ｏを通って鉛直方向に延びる鉛直線：Ｘを、水槽１８（円筒状周壁部２４）の中心軸：Ｐと一致させるように配置されているのである。
【００３５】
そして、そのような底壁部２６の外面（下面）の中心部には、円筒状の接続筒部３０が、連通口２８の開口周縁部から下方に向かって真っ直ぐに延び、且つ水槽１８の中心軸：Ｐと同軸的に位置するように、一体的に立設されている。これにより、水槽１８の円筒状周壁部２４と底壁部２６とにて囲まれた内側空間が、連通口２８を通じて接続筒部３０の内側空間（内孔）に連通し、更に、それら連通口２８と接続筒部３０の内側空間を通じて外部に連通している。なお、ここでは、接続筒部３０の軸方向中間部に段部３２が設けられて、かかる接続筒部３０の段部３２よりも下側の端部が、それよりも上側の部分に比して、所定寸法だけ小径化されている。そして、そのような水槽１８が、製造装置１６が有するベース３４に立設された矩形枠体からなる支持フレーム３６に支持されている。
【００３６】
図２及び図３から明らかなように、排水管２２は、接続筒部３０と略同一内径を有して、上下方向に延びる円筒状の直管からなっている。そして、かかる排水管２２が、水槽１８と同軸的に位置するように、換言すれば、中心軸：Ｑを、水槽１８の中心軸Ｐに一致させた状態で、水槽１８に対して、接続筒部３０を介して着脱可能に取り付けられている。
【００３７】
すなわち、排水管２２の上端部には、段部３８が設けられて、この段部３８よりも上側の部分が、それよりも下側の部分に比して、所定寸法だけ大径化されている。そして、かかる排水管２２の大径の上端部が、接続筒部３０の小径の下端部に対して同軸的に外挿されて、接続筒部３０の下端面が排水管２２の段部３８に係合している一方、排水管２２の上端面が接続筒部３０の段部３２に係合していることにより、それら排水管２２の上端部と接続筒部３０の下端部とがインロー嵌合している。また、そのような状態下において、互いに嵌合した排水管２２の上端部と接続筒部３０の下端部とが、連結バンド４０により相互に連結されている。なお、連結バンド４０は、半割円筒状の二つの部品が、それぞれの周方向一端部においてヒンジ連結されている一方、周方向他端部において、ボルト固定により相互に連結されるようになっている。また、かかる連結バンド４０の内周面には、シールゴム４１が貼り付けられている。
【００３８】
このように、ここでは、連結バンド４０が、排水管２２の上端部と接続筒部３０の下端部との嵌合部に外挿されて、かかる嵌合部を締め付けた状態で、周方向他端部においてボルト固定されていることで、排水管２２と接続筒部３０が、液密にシールされつつ、相互に連結されるようになっている。そして、それにより、排水管２２が、接続筒部３０との連結下において、接続筒部３０の内側空間内に連通し、また、かかる接続筒部３０と連通口２８とを通じて、水槽１８の円筒状周壁部２４と底壁部２６とにて囲まれた内側空間内にも連通している。そして、そのような排水管２２と接続筒部３０との連結状態から、連結バンド４０のボルトが緩められることで、排水管２２と接続筒部３０の連結が解消されるようになっている。かくして、排水管２２が（水槽１８が）、水槽１８に対して（排水管２２に対して）、接続筒部３０を介して着脱可能に取り付けられているのである。
【００３９】
また、図２に示されるように、排水管２２は、その下端部において、前記ベース３４上に配置された貯水タンク４２に接続している。この貯水タンク４２は、水槽１８の容積を超える容積を有している。更に、排水管２２の軸方向中間部には、開閉手段としての開閉バルブ４４が設けられている。ここでは、この開閉バルブ４４が、公知の構造を有する電磁弁からなり、その開閉作動によって、排水管２２内での水の流通を許容したり、停止したりするようになっている。
【００４０】
かくして、製造装置１６においては、後に詳述する給水装置２０により、水槽１８内に給水されて、貯留された水が、開閉バルブ４４の開作動時に、連通口２８と接続筒部３０とを通じて、水槽１８内から排出されて、排水管２２内に流入し、そして、かかる排水管２２を通じて、貯水タンク４２内に導かれて、貯水タンク４２内に貯留されるようになっている。このことから明らかなように、本実施形態では、接続筒部３０と排水管２２とにて排水流路４５が構成されている。また、そのような排水流路４５と連通口２８と開閉バルブ４４とにて排水手段が構成されている。
【００４１】
一方、排水管２２が接続される貯水タンク４２には、公知の構造を有するヒータ装置４３が並設されている。このヒータ装置４３は、後述するように、貯水タンク４２内から水槽１８内に再び供給されて貯留された貯留水の水面上に、後述する転写フィルム５４が浮かべられたときに、かかる転写フィルム５４の水溶性フィルム９０が、水槽１８内の水に迅速に溶解させられる程度の温度にまで、貯水タンク４２内の水を加温するものである（図８参照）。
【００４２】
また、排水管２２（排水流路４５）における貯水タンク４２への接続部と開閉バルブ４４の設置部との間に位置する部分には、濾過手段としての上側濾過フィルタ装置４６と下側濾過フィルタ装置４８とが、上下方向に所定間隔を隔てて並んで位置するように設置されている。それら上側及び下側濾過フィルタ装置４６，４８は、排水管２２に固設されたフィルタホルダ５０，５２内に、図示しない公知の濾過フィルタが、それぞれ収容されて、構成されている。
【００４３】
そのように、排水管２２の途中に上側濾過フィルタ装置４６と下側濾過フィルタ装置４８が設けられていることによって、水槽１８内から排出された水が、排水管２２内を流れる間に、上側及び下側濾過フィルタ装置４６，４８にて濾過されるようになっている。かくして、排水管２２内を流れる水に混入している、後述する転写フィルム５４の残滓９２（図９参照）が、上側及び下側濾過フィルタ装置４６，４８内の濾過フィルタにて捕集されるようになっている。そして、それにより、排水管２２内の水が浄化されてから貯水タンク４２内に送り込まれて、貯留されるように構成されている。
【００４４】
なお、上側及び下側濾過フィルタ装置４６，４８内の濾過フィルタの構造や種類は、何等限定されるものではなく、公知の各種ものが採用されるものの、ここでは、それら各フィルタが、ＨＥＰＡフィルタにて構成されている。そして、下側濾過フィルタ装置４８内の濾過フィルタが有する細孔の径が、上側濾過フィルタ装置４６内の濾過フィルタが有する細孔の径よりも小さくされて、排水管２２内を流れる水中に混入する転写フィルム５４の残滓９２が、二段階で、より確実に捕集されるようになっている。また、必要に応じて、上側及び下側濾過フィルタ装置４６，４８とは別に、排水管２２の開閉バルブ４４の設置部よりも上部側にも、濾過フィルタ装置を設けても良い。そうすれば、転写フィルム５４の残滓９２の開閉バルブ４４内への侵入を阻止することができる。更に、排水管２２に設けられる濾過フィルタ装置の数は、何等限定されるものではなく、排水管２２に対する濾過フィルタ装置の設置個数を１個だけとしても良く、また、上側及び下側濾過フィルタ装置４６，４８を省略しても良い。
【００４５】
図２乃至図４に示されるように、給水装置２０は、ベース３４上に設置された、公知の構造を有する給水ポンプ５６を有している。この給水ポンプ５６は、送水パイプ５８を介して、貯水タンク４２と接続されている。また、給水ポンプ５６には、第一給水パイプ６０と第二給水パイプ６２と第三給水パイプ６４が、それぞれ接続されている。それら第一、第二、及び第三給水パイプ６０，６２，６４は、給水ポンプ５６との接続側とは反対側の端部の開口部が、それぞれ、第一、第二、及び第三給水口６６，６８，７０とされている。
【００４６】
かくして、本実施形態の製造装置１６では、貯水タンク４２内に貯留された水が、給水ポンプ５６の作動により、送水パイプ５８を通じて給水ポンプ５６内に吸入され、更に、第一乃至第三給水パイプ６０，６２，６４内を流通して、第一乃至第三給水口６６，６８，７０から噴出させられるようになっている。なお、図１中、７２は、送水パイプ５８内の水の流れを開閉する、例えば、電磁弁等からなる開閉バルブである。また、送水パイプ５８の途中に、上側濾過フィルタ装置４６や下側濾過フィルタ装置４８と同様な構造の濾過フィルタ装置を設けることも可能である。
【００４７】
給水ポンプ５６に接続された第一乃至第三給水パイプ６０，６２，６４のうち、第一給水パイプ６０は、全長に亘って容易に曲げ変形可能な材質からなっている。そして、給水ポンプ５６への接続側とは反対側の端部が、水槽１８の円筒状周壁部２４の上部部位における周上の一箇所に設けられた第一挿通孔７４内に抜脱可能に挿通されている。
【００４８】
すなわち、第一給水パイプ６０においては、第一給水口６６側の端部が第一挿通孔７４内に挿通されて、かかる第一挿通孔７４内への挿通部位よりも第一給水口６６側の部分が、円筒状周壁部２４の内側空間内に突入配置されており、また、第一給水口６６が、円筒状周壁部２４の内側空間内に向かって開口している。これにより、給水ポンプ５６から送り出されて、第一給水パイプ６０内を流通する水が、第一給水口６６を通じて、水槽１８内に供給されるようになっている。
【００４９】
なお、ここでは、第一給水パイプ６０における第一給水口６６側の端部側部位のうち、第一挿通孔７４から水槽１８の外側に延びる部分が、支持フレーム３６の上端から側方に延びる延長フレーム部７３の先端に設けられた筒状のパイプホルダ７６に抜脱可能に挿通されて、保持されている。これにより、第一給水パイプ６０の第一挿通孔７４内への挿通状態が、安定的に維持されるようになっている。また、そのような第一給水パイプ６０の第一挿通孔７４内への挿通部位とパイプホルダ７６への挿通部位との間の部分には、第一給水パイプ６０内の水の流れを開閉する、例えば、電磁弁等からなる開閉バルブ７７が設けられている。
【００５０】
そして、図４に示されるように、本実施形態の製造装置１６においては、水槽１８の円筒状周壁部２４の内側空間内に突入した第一給水パイプ６０の第一給水口６６側端部が、第一給水パイプ６０の中心軸：Ｒを、第一給水口６６の中心点：αと水槽１８の中心軸：Ｐ上の一点：βとを結んで水平に延びる直線：Ｓに対して交角：θ1 をもって交差させる方向に延びるように配置されている。
【００５１】
つまり、図１０に示されるように、第一給水口６６が、第一給水口６６から水槽１８内に向かって供給される水の流れの中心線：Ｒ’を、連通口２８の中心点：Ｏ（図３参照）を通って鉛直方向に延びる鉛直線：Ｘ上の一点：βと第一給水口６６の中心点：αとを結んで水平に延びる直線：Ｓに対して、円筒状周壁部２４の周方向において交差させる位置に設けられている。換言すれば、円筒状周壁部２４の内側空間内への第一給水口６６の開口方向が、第一給水口６６から供給される水の流れの中心線：Ｒ’を、第一給水口６６の中心点：αと水槽１８の中心軸：Ｐ上の一点：βとを結んで水平に延びる直線：Ｓに対して、円筒状周壁部２４の周方向において交角：θ1 をもって交差させる方向とされている。
【００５２】
かくして、第一給水パイプ６０内を流通する水が、開閉バルブ７７の開作動状態下で、水槽１８の中心軸：Ｐに向かう方向（直線：Ｓに沿った方向）に対して所定の角度：θ1 だけ円筒状周壁部２４の周方向にずれた方向に向かって、第一給水口６６から水槽１８内に供給されるようになっている。つまり、第一給水パイプ６０内を流通する水が、円筒状周壁部２４の内周面のうち、第一給水口６６に対して、水槽１８の中心軸：Ｐを間に挟んだ径方向反対側の箇所とは、円筒状周壁部２４の周方向において異なる箇所に位置する内周面部分に向かって、第一給水口６６から水槽１８内に供給されるようになっているのである。
【００５３】
一方、図３及び図５に示されるように、第二給水パイプ６２と第三給水パイプ６４は、互いに同一の内径を有し、給水ポンプ５６への接続側とは反対側の端部が、排水管２２の上部側部分に対して、それぞれ挿通固定されている。
【００５４】
より詳細には、排水管２２の上部側部分たる、開閉バルブ４４の設置部と接続筒部３０に対する接続部との間に位置する部分には、第二挿通孔７８と第三挿通孔８０が、かかる排水管２２の管壁部を貫通して、形成されている。それら第二挿通孔７８と第三挿通孔８０は、排水管２２の中心軸：Ｑを間に挟んだ排水管２２の径方向の両側において同軸的に位置している。そして、第二給水パイプ６２の第二給水口６８側の端部が、第二挿通孔７８内に、抜脱不能に挿通されている一方、第三給水パイプ６４の第三給水口７０側の端部が、第三挿通孔８０内に、抜脱不能に挿通されている。また、それら第二給水パイプ６２と第三給水パイプ６４の第二挿通孔７８と第三挿通孔８０内への挿通部位よりも手前の部分（第二及び第三給水口６８，７０側とは反対側部分）には、第二及び第三給水パイプ６２，６４内での水の流れを開閉する、例えば、電磁弁等からなる開閉バルブ６９，７１が、それぞれ設けられている。
【００５５】
かくして、互いに同一径とされた第二給水パイプ６２の第二給水口６８と第三給水パイプ６４の第三給水口７０とが、排水管２２の内側空間内に向かって開口するように配置されている。また、それにより、給水ポンプ５６から送り出されて、第二給水パイプ６２内と第三給水パイプ６４内とをそれぞれ流通する水が、開閉バルブ６９，７１の開作動状態下で、第二給水口６８と第三給水口７０とを通じて、排水管２２内に供給されるようになっている。
【００５６】
そして、そのような第二及び第三給水口６８，７０を通じての排水管２２内への給水が、排水管２２上の開閉バルブ４４の閉作動状態下で実施されることにより、排水管２２の開閉バルブ４４よりも上部側部分内と接続筒部３０の内側空間内、つまり排水流路４５の上部側部分内が、排水管２２内に供給された水で満たされた後、そのような排水流路４５の上部側部分内に満たされた水が、連通口２８を通じて、水槽１８の円筒状周壁部２４と底壁部２６とにて囲まれて内側空間内に供給されて、貯留されるようになっている（図６参照）。このことから明らかなように、ここでは、水槽１８の円筒状周壁部２４と底壁部２６とにて囲まれて内側空間にて、主室８２が構成されている一方、排水管２２の開閉バルブ４４よりも上側部分の内側空間と接続筒部３０の内側空間（排水流路４５の上部側部分の内側空間）にて、副室８４が構成されている。そして、そのような副室８４の周壁部が、排水管２２の管壁部にて構成されているのである。
【００５７】
このように、本実施形態の製造装置１６では、貯水タンク４２内の水を、給水ポンプ５６と第二及び第三給水パイプ６２，６４とにて、水槽１８内に給水し、また、水槽１８内の水を排水流路４５を通じて、水槽１８内から排出させて、貯水タンク４２内に貯留することにより、所定量の水を水槽１８と貯水タンク４２との間で循環させるように構成されているのである。
【００５８】
そして、図３及び図５に示されるように、本実施形態の製造装置１６においては、排水管２２の第二挿通孔７８内に挿通固定された、第二給水パイプ６２における第二給水口６８側の端部と、排水管２２の第三挿通孔８０内に挿通固定された、第三給水パイプ６４における第三給水口７０側の端部とが、排水管２２の管壁部に設けられた第二挿通孔７８と第三挿通孔８０にそれぞれ挿通されていることで、それら第二及び第三給水パイプ６２，６４の端部が、排水管２２の中心軸：Ｑを間に挟んだ排水管２２の径方向の両側において同軸的に配置されている。即ち、第二給水パイプ６２の第二給水口６８側の端部と、第三給水パイプ６４の第三給水口７０側の端部とが、第二給水パイプ６２の中心軸：Ｔと第三給水パイプ６４の中心軸：Ｕとを、排水管２２の中心軸：Ｑ上の一点：γで、中心軸：Ｑに対して、それぞれ直交させるように位置している。
【００５９】
これにより、図６及び図７に示されるように、第二給水口６８と第三給水口７０とが、第二給水口６８から供給される水の流れの中心線：Ｔ’と第三給水口７０から供給される水の流れの中心線：Ｕ’とを、排水管２２の中心軸：Ｑ上の一点：γで、中心軸：Ｑと直交させるように、排水管２２の管壁部の中心軸：Ｑを間に挟んだ径方向の両側の位置、つまり、かかる管壁部の軸方向の同一位置で、且つ管壁部の周方向において１８０°の位相差を有する位置（管壁部の周方向において等間隔となる位置）に、それぞれ配置されている。
【００６０】
そして、かくの如き構造とされた製造装置１６を用いて、複数の内装部品１０を連続的に製造する際には、例えば、以下に示す手順に従って、その作業が進められる。
【００６１】
すなわち、先ず、貯水タンク４２内に、所定量の水を投入し、貯留させる。なお、この作業は、複数の内装部品１０の製造作業の開始当初に、予備作業として、一回だけ行われる。また、必要に応じて、貯水タンク４２内の水を、ヒータ装置４３により、所定の温度にまで加温する。
【００６２】
次に、排水管２２上の開閉バルブ４４を閉作動させる一方、送水パイプ５８上の開閉バルブ７２と第二及び第三給水パイプ６２，６４上の開閉バルブ６９，７１とを開作動させる。また、それと共に、給水ポンプ５６を作動させる。これにより、貯水タンク４２内の水を、送水パイプ５８を通じて、給水ポンプ５６に導いて、第二給水パイプ６２内と第三給水パイプ６４内とに送り出すと共に、それら第二給水パイプ６２内と第三給水パイプ６４内を流動させて、第二給水口６８と第三給水口７０とを通じて、排水管２２（排水流路４５）の上部側部分内に、同一の流速及び流量で供給する。
【００６３】
このとき、第二給水口６８と第三給水口７０の排水管２２への形成位置が、上記の如き特別な位置とされているため、図６及び図７に示されるように、第二及び第三給水口６８，７０から排水管２２内に向かって流れる水が、排水管２２の中心軸：Ｑ上で互いに衝突する。そして、それにより、第二及び第三給水口６８，７０から排水管２２内に水が供給された直後に、排水管２２内で、第二及び第三給水口６８，７０から排水管２２内に向かって流れる水の流れが無くされる。
【００６４】
従って、第二及び第三給水口６８，７０を通じて給水が行われたときには、排水管２２の開閉バルブ４４よりも上部側の部位の内側空間と接続筒部３０の内側空間とからなる副室８４内に、排水管２２の径方向や周方向等の流れの無い状態で、水が供給され、また、第二及び第三給水口６８，７０を通じての給水量の増加に伴って、副室８４内の水かさが、静かに且つ徐々に増やされていく。そして、副室８４に水が満たされた後に、かかる副室８４内の水が、連通口２８を通じて、水槽１８の主室８２内に供給されるようになる。
【００６５】
その後、水槽１８の主室８２内の水量が予め設定された量となったら、第二及び第三給水パイプ６２，６４上の開閉バルブ６９，７１を閉作動させる。かくして、水槽１８の主室８２内に、所定量の水を貯留する。
【００６６】
なお、上記したように、副室８４内から主室８２内に供給される水は、排水管２２の径方向や周方向等の流れが既に副室８４内で無くされている。そのため、連通孔２８を通じての主室８２内への給水時には、主室８２内の水に、排水管２２と同軸的に位置する水槽１８の円筒状周壁部２４の径方向や周方向の流れ等が生じることが無い。これにより、主室８２内への給水の完了時において、水面に揺らぎが生ずることが効果的に解消される。また、そのような水面の揺らぎの発生を抑制するために、給水装置２０による副室８４と主室８２内への給水速度を低下させる必要も、有利に解消され得る。
【００６７】
そして、水槽１８の主室８２内に所定量の水を貯留したら、図８に示されるように、転写フィルム５４を、主室８２内の貯留水８８の水面上に浮かべる。ここで用いられる転写フィルム５４は、例えばポリビニルアルコール等からなる水溶性フィルム９０の一方の面上に、目的とする内装部品１０の表面に形成されるべき木模様等を有する、水に不溶の加飾層１４が積層形成されてなる構造を有している。このような転写フィルム５４は、水溶性フィルム９０を水中に浸漬させるように、水溶性フィルム９０の側を下側とした向きで、水面上に浮かべられる。
【００６８】
なお、上記したように、主室８２内への給水の完了時には、水面の揺らぎが実質的に発生していない。それ故、主室８２内の水面上に転写フィルム５４を浮かばせる操作は、主室８２内への給水の完了後に、水面の揺らぎが収まるのを待つことなしに、直ちに実施されることとなる。そして、転写フィルム５４を水面上に浮かばせてから、所定の時間放置する。これにより、転写フィルム５４の水溶性フィルム９０を水に溶かして（膨潤、分解させて）、加飾層１４のみを水面上に浮かばせる。また、水溶性フィルム９０を水に溶解させている間に、必要に応じて、加飾層１４の上面に定着剤等を噴霧する。
【００６９】
そして、水溶性フィルム９０が水に溶けて、加飾層１４だけが水面上に浮かんだ状態となったら、図９に二点鎖線と実線で示されるように、目的とする内装部品１０の基板１２の加飾層１４が形成されるべき表面部分を、水面上の加飾層１４に押し当てつつ、基板１２の全体を貯留水８８中に沈没させる。これにより、基板１２の表面上に、加飾層１４を水圧により転写する。
【００７０】
このような転写作業の完了後には、基板１２の表面上に転写されなかった加飾層１４の一部や、貯留水８８に完全に溶解されなかった水溶性フィルム９０の一部からなる転写フィルム５４の残滓９２が、貯留水８８の水面上や水中に浮遊する状態で、主室８２内に残留する。なお、貯留水８８中を浮遊する転写フィルム５４の残滓９２のうちの一部は、水槽１８の円筒状周壁部２４の内周面上に付着し、或いは沈降して、水槽１８の底壁部２６の内面上に付着する。
【００７１】
その後、表面に加飾層１４が形成された基板１２を水槽１８内の貯留水８８中から引き上げて、乾燥させる。かくして、目的とする内装部品１０を得る。
【００７２】
そして、加飾層１４が形成された基板１２を水槽１８内の貯留水８８中から引き上げたら、第一給水パイプ６０上の開閉バルブ７７を開作動させる。これにより、図１０に示されるように、水槽１８の主室８２内の貯留水８８の水面に向かって水を供給する。
【００７３】
このとき、水槽１８内への第一給水口６６の開口方向が、第一給水口６６から供給される水の流れの中心線：Ｒ’が、連通口２８の中心点：Ｏを通る鉛直線：Ｘ（水槽１８の中心軸：Ｐ）上の一点：βと第一給水口６６の中心点：αとを結んで水平に延びる直線：Ｓに対して、円筒状周壁部２４の周方向においてθ1 の交角をもって交差させる方向とされているところから、第一給水口６６から供給される水が、水槽１８内の貯留水８８を円筒状周壁部２４の内周面に沿って押し流すように、水槽１８内に噴出される。これによって、水槽１８内の貯留水８８に周方向への水流が生じる。
【００７４】
そして、第一給水口６６からの給水の開始から、予め設定された時間、例えば１〜１０秒が経過した後、排水管２２上の開閉バルブ４４を開作動させる。これにより、水槽１８の主室８２内の貯留水８８の全量を、連通口２８を通じて、主室８２内から排出流路４５内に排出し、そして、排出流路４５の上部側部位に設けられる副室８４内に貯留される水と共に、排水流路４５を通じて、貯水タンク４２内に流入させて、貯留する。なお、第一給水口６６からの給水開始から開閉バルブ４４の開作動までの時間は、第一給水口６６からの給水により、水槽１８内の貯留水８８に周方向への水流を確実に生じさせるのに十分な時間が設定される。
【００７５】
そして、そのような貯留水８８の排出時には、貯留水８８に既に生じている周方向の流れによって、貯留水８８の全量が、図１０に矢印：アで示されるように、水槽１８内で旋回流乃至は渦流を形成し、旋回しながら、或いは渦を巻きながら、連通口２８から排出流路４５内に排出される。かくして、貯留水８８の水面上や水中に浮遊する加飾層１４や水溶性フィルム９０の残滓９２が、貯留水８８と共に、水槽１８内から排出され、また、水槽１８の円筒状周壁部２４の内周面上や底壁部２６の内面上に付着していた残滓９２も、貯留水８８の水流により押し流される。それにより、貯留水８８の全量が排出された後に、残滓９２が、水槽１８の円筒状周壁部２４や底壁部２６の内面上に付着したままで、残存することが解消される。
【００７６】
なお、第一給水口６６から水槽１８内への給水は、第一給水パイプ６０上の開閉バルブ７７の閉作動によって停止されるが、この給水停止は、貯留水８８の周方向の流れの発生した後であれば、何時行われても良い。しかしながら、貯留水８８の全量の排出後に、水槽１８の円筒状周壁部２４や底壁部２６の内面を洗い流して、それらの内面に付着する残滓９２を確実に除去するために、水槽１８内からの貯留水８８の排出が完了した時点から所定時間の間、第一給水口６６から水槽１８内への給水を継続して行っても良い。
【００７７】
そして、水槽１８内の貯留水８８の全量の排出と第一給水口６６から水槽１８内への給水とが完了した後に、排水管２２上の開閉バルブ４４を閉作動させる。その後、副室８４内と主室８２内への給水作業と、貯留水８８の水面上に転写フィルム５４を浮かばせる作業と、転写フィルム５４の加飾層１４の基板１２表面上への転写作業と、貯留水８８の水槽１８内からの排出作業とを、前記した如き手順に従って繰り返し実施して、目的とする内装部品１０の複数を連続して製造するのである。
【００７８】
以上の説明から明らかなように、本実施形態の製造装置１６を用いれば、複数の内装部品１０を連続的に製造するに際して、基板１２の表面への加飾層１４の転写作業を１回行う毎に、水槽１８内の貯留水８８の全量を交換することで、加飾層１４の転写作業後に貯留水８８中に残留して、浮遊する転写フィルム５４の残滓９２の全てを水槽１８内から除去することができる。しかも、貯留水８８が、旋回しながら、或いは渦を巻きながら、連通口２８を通じて排出されることによって、貯留水８８の排水後に、転写フィルム５４の残滓９２が、水槽１８（円筒状周壁部２４と底壁部２６）の内面に付着して残存することも、効果的に防止され得る。
【００７９】
従って、かくの如き本実施形態の製造装置１６を用いて、転写作業を繰り返し実施しながら、複数の内装部品１０を続けて製造する際には、貯留水８８の水面上に浮かべられる転写フィルム５４に対して、前回使用された転写フィルム５４の残滓９２が付着することが、効果的に且つより確実に回避され、以て、転写フィルム５４の残滓９２の付着に起因した加飾層１４の皺や変形等の外観不良が生ずることが、極めて有利に防止され得る。そして、その結果、良好な外観を有する高品質の複数の内装部品１０を、極めて安定的に連続生産することが可能となるのである。
【００８０】
また、本実施形態の製造装置１６では、水槽１８の上方への開口側部分が、円筒状周壁部２４とされているため、第一給水パイプ６０からの給水により、水槽１８の主室８２内の貯留水８８に、旋回流乃至は渦流が、より確実に且つスムーズに生ずる。また、水槽１８の底壁部２６の内周面が、連通口２８側に向かって次第に小径となるテーパ形状とされていることによっても、水槽１８の主室８２内の貯留水８８に、旋回流が、より確実に生ずる。従って、それらの結果として、水槽１８の円筒状周壁部２４や底壁部２６への残滓９２の付着が、更に一層確実に防止され得る。
【００８１】
しかも、かかる製造装置１６においては、水槽１８の上方への開口側部分が、円筒状周壁部２４とされているため、例えば、水槽１８の全体を上方に向かって次第に大径化するテーパ筒形状とする場合に比して、水槽１８の径の増大を抑えつつ、水槽１８の深さを、ある程度大きくすることができる。これによって、水槽１８全体の大型化を抑制しつつ、水槽１８内での転写作業を行う部分の領域を有利に大きくすることができる。これは、転写作業の作業性の向上に大きく寄与する。
【００８２】
さらに、本実施形態の製造装置１６にあっては、給水装置２０により、第二及び第三給水口６８，７０から排水管２２内に供給された水を、排水管２２の中心軸：Ｑ上で互いに衝突させながら、水槽１８内への給水を行うことで、水槽１８内への給水の完了後に、水槽１８内の貯留水８８の水面に揺らぎが生ずることが防止され得る。それによって、水槽１８内への給水完了後に、貯留水８８の水面上に転写フィルム５４を浮かべる作業を直ちに実施することができる。また、かかる水面の揺らぎの発生を無くすために、水槽１８内への給水速度を低下させることも、有利に解消され得る。そして、その結果として、水槽１８内への給水時間と、水槽１８内への給水の完了から転写フィルム５４を水面上に浮かべてセットするまでの時間を、極めて効果的に短縮することができる。
【００８３】
従って、かくの如き本実施形態の製造装置１６を用いれば、良好な外観を有する高品質の複数の加飾物を、十分に短い製造サイクルタイムで、連続的に製造することができるのである。
【００８４】
また、かかる製造装置１６にあっては、第二給水パイプ６２における第二給水口６８に近位の端部部位と、第三給水パイプ６４における第三給水口７０の近位の端部部位とに対して、開閉バルブ６９，７１がそれぞれ設けられている。このため、水槽１８内の貯留水８８の排出時に、それらの開閉バルブ６９，７１を閉作動させることによって、転写フィルム５４の残滓９２の第二給水パイプ６２や第三給水パイプ６４内への侵入と、それら第二及び第三給水パイプ６２，６４の内面への残滓９２の付着が有利に防止され得る。これによっても、次回の加飾層１４の転写作業に用いられる転写フィルム５４への残滓９２の付着が、効果的に防止され得る。
【００８５】
さらに、本実施形態の製造装置１６においては、副室８４が、排水流路４５の上部部位の内側空間にて構成されている。これによって、例えば、副室８４を、排水流路４５とは別個に設ける場合に比して、製造装置１６全体の小型、コンパクト化が有利に図れ得る。
【００８６】
また、かかる製造装置１６では、給水ポンプ５６の作動により、貯水タンク４２と水槽１８との間で水が循環されるようになっている。それ故、水槽１８内から排出された水を再利用して、水の使用量を節約しながら、複数の内装部品１０の連続生産が可能となり、その結果として、目的とする内装部品１０の製造コストの削減が有利に図られ得る。
【００８７】
しかも、かかる製造装置１６においては、上側及び下側濾過フィルム装置４６，４８が、排水流路４５上に設けられて、水槽１８内から排出される水が、それら上側及び下側濾過フィルム装置４６，４８にて浄化された上で再利用されるようになっている。これによって、所定量の水を再利用しながらも、常に、清浄な水を用いて、基板１２に対する加飾層１４の転写作業を行うことが可能となる。その結果として、製造される内装部品１０の良好な外観と製造コストの節約の両立が、有利に図られ得る。
【００８８】
そして、本実施形態の製造装置１６にあっては、水槽１８が、接続筒部３０において、排水管２２に対して着脱可能とされている。それ故、例えば、図３及び図１１に示されるように、水槽１８を、主室８２の容積が小さなもの（図３に示される製造装置１６）と主室８２の容積が大きなもの（図１１に示される製造装置１６）とに任意に交換することができる。この水槽１８の交換は、連結バンド４０のボルトを緩めて、水槽１８と排水管２２との連結状態を解消して、主室８２の容積の小さな水槽１８を排水管２２から取り外した後、主室８２の容積の大きな水槽１８を排水管２２に組み付け、その後、連結バンド４０のボルトを再び締め付けることで、容易に実施できる。なお、接続筒部３０と排水管２２の連結構造は、それらを着脱可能とするものであれば、特に限定されるものではない。また、水槽１８を交換する際には、必要に応じて、第一給水パイプ６０のパイプホルダ７６や第一挿通孔７４内の挿通位置が、適宜に変更される。
【００８９】
これによって、例えば、大型の内装部品１０と小型の内装部品１０とを製造する際、つまり複数種類の内装部品１０を製造する際に、製造されるべき内装部品１０に対応した大きさの水槽１８を使い分けることで、かかる複数種類の内装部品１０を一つの製造装置１６だけで有利に製造することができる。そして、例えば、大型の内装部品１０の製造にも使用可能な大型の水槽１８を用いて小型の内装部品１０を製造する場合とは異なって、小型の内装部品１０専用の水槽１８を用いて小型の内装部品１０を製造することにより、水槽１８内の貯留水８８の供給時間と排出時間とが有利に短くされ得る。その結果として、大きさの異なる複数種類の内装部品１０を製造するに際して、それらの内装部品１０の製造サイクルタイムの短縮化が、より効果的に実現され得るのである。
【００９０】
以上、本発明の具体的な構成について詳述してきたが、これはあくまでも例示に過ぎないのであって、本発明は、上記の記載によって、何等の制約をも受けるものではない。
【００９１】
例えば、第二給水口６８と第三給水口７０とから副室８４（排水流路４５）内に供給される水が、副室８４内で互いに衝突して、それら第二及び第三給水口６８，７０から副室８４内への水の流れが無くされるようになっていることが望ましいが、それらの水の流れは、必ずしもゼロとされなくとも良い。主室８２内への給水の完了時における主室８２内の水面の揺らぎの発生が可及的に防止されるように、第二及び第三給水口６８，７０から副室８４内への水の流れが、小さくされておれば良いのである。
【００９２】
従って、第二給水口６８と第三給水口７０が、排水管２２の管壁部に対して、第二及び第三給水口６８，７０から供給される水の流れの中心線：Ｔ’、Ｕ’を、排水管２２の中心軸：Ｑ上の一点：γでなく、二点で交差させる位置（給水口が三個以上ある場合には、中心軸の互いに異なる二点以上で交差させる位置）に設けられていても良く、また、排水管２２の中心軸：Ｑ方向の互いに異なる箇所に位置するように設けられていても良い。つまり、第二給水口３８と第三給水口７０は、それら各給水口６８，７０から供給される水を副室８２内で衝突させて、それらの水の流れが小さくなるように、排水管２２の管壁部に対して、各給水口６８，７０からの水の流れの中心線：Ｔ’、Ｕ’を、排水管２２の中心軸：Ｑと交差させる位置に設けられていることが好ましいのである。
【００９３】
そして、給水パイプの数や、排水管２２に対する給水口の設置位置、或いは給水口の内径等は、適宜に変更可能であるものの、それらは、副室８４（排水流路４５）内に供給される水を、排水管２２内の中心軸：Ｑ上で互いに衝突させて、それらの水の流れが小さくされるか、或いは無くされるように設定されていることが、望ましい。なお、以下には、給水パイプの数や、排水管２２に対する給水口の設置位置、或いは給水口の内径等が、記第一の実施形態とは異なる別の実施形態を、図１２及び図１３を用いて説明するが、それらの実施形態に関しては、図２乃至図５に示された前記第一の実施形態と同一の構造とされた部材及び部位について、図２乃至図５と同一の符号を付すことにより、その詳細な説明を省略する。また、後述する図１４に示される実施形態についても同様である。
【００９４】
例えば、図１２に示される実施形態は、第二給水パイプ６２と第三給水パイプ６４に加えて、それら第二及び第三給水パイプ６２，６４と同一内径の第四給水パイプ９４を有している。かかる実施形態においては、第二、第三、及び第四給水パイプ６２，６４，９４の第二、第三、及び第四給水口６８，７０，９８側の端部が、排水管２２に対して、その周方向に等間隔を隔てて位置するように設けられた第二、第三、及び第四挿通孔７８，８０，９６に、それぞれ挿通固定されている。これにより、第二、第三、及び第四給水パイプ６２，６４，９４の各端部が、それら第二、第三、及び第四給水パイプ６２，６４，９４のそれぞれの中心軸：Ｔ，Ｕ，Ｖを、排水管２２の中心軸：Ｑ上の一点：γで、中心軸：Ｑに対して、それぞれ直交させ、且つそれらの中心軸：Ｔ，Ｕ，Ｖの互いの交角：θ2 ，θ3 ，θ4 を一定の大きさ（ここでは１２０°）とするように配置されている。また、第四給水パイプ９４の第四給水口９８側の端部には、開閉バルブ１００が設けられている。
【００９５】
かくして、第二、第三、及び第四給水パイプ６２，６４，９４の第二、第三、及び第四給水口６８，７０，９８が、それら各給水口６８，７０，９８から供給される水の流れの中心線：Ｔ’，Ｕ’，Ｖ’を排水管２２の中心軸：Ｑ上の一点：γで、中心軸：Ｑと直交させるように、排水管２２の周方向に一定の間隔をおいて配置されている。このような本実施形態においては、第二、第三、及び第四給水口６８，７０，９８から、排水管２２内に、互いに同一の流速で供給される水が、排水管２２内の中心軸：Ｑ上で互いに衝突させられて、それらの水の流れが無くされるようになっている。
【００９６】
また、図１３に示される実施形態は、第二、第三、及び第四給水口６８，７０，９８（第二、第三、及び第四給水パイプ６２，６４，９４）が互いに異なる大きさ（内径）とされて、それら第二、第三、及び第四給水口６８，７０，９８からの単位時間当たりの給水量が、互い異なる量（給水速度は一定）とされている。かかる実施形態では、第二、第三、及び第四給水パイプ６２，６４，９４の各端部が、それら第二、第三、及び第四給水パイプ６２，６４，９４のそれぞれの中心軸：Ｔ，Ｕ，Ｖを、排水管２２の中心軸：Ｑ上の一点：γで、中心軸：Ｑに対して、それぞれ直交し、且つ第二給水パイプ６２の中心軸：Ｔに対する第三給水パイプ６４の中心軸：Ｕの交角：θ5 と、第二給水パイプ６２の中心軸：Ｔに対する第四給水パイプ９４の中心軸：Ｖの交角：θ6 とが、第二、第三、及び第四給水口６８，７０，９８からの単位時間当たりの給水量に応じた大きさとなるように配置されている。具体的には、下記の数式（１）と数式（２）を満たすように交角：θ5，θ6が、それぞれ設定されているのである。
【００９７】
Ｍ＝Ｎｃｏｓθ5 ＋Ｌｃｏｓθ6    ・・・・・（１）
Ｎｓｉｎθ5 ＝Ｌｓｉｎθ6        ・・・・・（２）
但し、Ｍ：第二給水口からの給水量
Ｎ：第三給水口からの給水量
Ｌ：第四給水口からの給水量
【００９８】
これにより、第二、第三、及び第四給水パイプ６２，６４，９４の第二、第三、及び第四給水口６８，７０，９８が、それら各給水口６８，７０，９８から供給される水の流れの中心線：Ｔ’，Ｕ’，Ｖ’を排水管２２の中心軸：Ｑ上の一点：γで、中心軸：Ｑと直交させ、且つ排水管２２の周方向に互いに異なる所定の間隔をおいて配置されている。このような本実施形態では、第二、第三、及び第四給水口６８，７０，９８から、排水管２２内に、互いに同一の流速で供給される水が、排水管２２内の中心軸：Ｑ上で互いに衝突させられて、それらの水の流れが無くされるようになっている。
【００９９】
なお、第二、第三、及び第四給水口６８，７０，９８からの給水速度が互いに異なる大きさとしても良い。この場合にあっても、それら各給水口６８，７０，９８から供給される水が、排水管２２内における中心軸：Ｑ上とは別の部位において互いに衝突させられて、それらの水の流れが小さくされるように、或いは無くされるように、第二、第三、及び第四給水口６８，７０，９８の排水管２２の周方向位置が、適宜に設定されることとなる。
【０１００】
また、第二乃至第四給水パイプ６２，６４，９４を全て省略して、第一給水パイプ６０だけを設けるようにしても良い。この場合には、第一給水パイプ６０による水槽１８内への給水が、水槽１８内の貯留水８８の排出前だけでなく、かかる貯留水８８の全量が水槽１８内から排出された後にも実施されて、水槽１８内に、第一給水口６６から供給された水が貯留されることとなる。
【０１０１】
さらに、前記幾つかの実施形態では、副室８４が、排水流路４５の上部側部分の内側空間にて構成されていたが、副室８４を排水流路４５とは別個に設けることも可能である。これは、例えば、図１４に示されるように、水槽１８の底壁部２６に、第一連通口１０２と第二連通口１０４とを設けて、第一連通口１０２に、排水管２２を連通状態で接続する一方、第二連通口１０４に、有底円筒状の副室形成用筒部１０６を連通状態で接続する。そして、かかる副室形成用筒部１０６の下端部に、第二給水パイプ６２と第三給水パイプ６４とを、前記第一の実施形態に係る製造装置１６における第二及び第三給水パイプ６２，６４の排水管２２への接続構造と同様な構造において、それぞれ接続する。これにより、副室形成用筒部１０６の内側空間にて、副室８４を構成するのである。なお、第二連通口１０４には、副室形成用筒部１０６の内側空間と水槽１８の主室８２の内側空間とを、連通状態と非連通状態とに切り替える、例えば電磁弁等からなる開閉バルブ１０８が設けられる。
【０１０２】
このような構造によれば、主室８２内に所定量の水を供給した後、開閉バルブ１０８を閉作動することにより、その後の転写操作で生ずる転写フィルム５４の残滓９２が、副室８４内に侵入することが防止される。そして、その結果として、次回の転写操作の実施のために、副室８４内から主室８２内に供給されて、貯留される貯留水８８中に残滓９２が混入することが、より効果的に阻止され得る。
【０１０３】
また、副室８４を排水流路４５とは別個に設ける場合には、副室８４が、周壁部に囲まれた、連通口２８と連通する空間にて構成されておれば良い。従って、例えば、連通口２８と連通する筐体等の内側空間にて、副室８４を構成することも可能である。
【０１０４】
なお、図１４からも明らかなように、排水口を構成する第一連通孔１０２（連通孔２８）は、必ずしも、水槽１８と同軸的に配置されている必要はない。しかしながら、その場合にあっても、第一給水口６６が、第一給水口６６から水槽１８内に向かって供給される水の流れの中心線：Ｒ’を、第一連通口１０２の中心点：Ｏを通って鉛直方向に延びる鉛直線：Ｘ上の一点：βと第一給水口６６の中心点：αとを結んで水平に延びる直線：Ｓに対して、円筒状周壁部２４の周方向において交差させる、特別な位置に設けられている必要がある。
【０１０５】
また、副室８４も、水槽１８と同軸的に配置されていなくても良い。
【０１０６】
さらに、主室８２内に水を直接に供給する第一給水パイプ６０を複数設けても良い。その場合には、それら複数の第一給水パイプ６０が、それぞれの第一給水口６６を、円筒状周壁部２４の周方向に間隔を隔てて位置させるように設けられていることが望ましい。これによって、貯留水８８の排出時に、貯留水８８の旋回流乃至は渦流が、より確実に形成されることとなる。
【０１０７】
更にまた、貯留水８８の排出に先立って、水槽１８内に水を供給する第一給水口６６を備えた第一給水パイプ６０は、必ずしも、円筒状周壁部２４を挿通して配置されている必要はない。例えば、第一給水パイプ６０を水槽１８の円筒状周壁部２４の上側開口部よりも上方に配置して、第一給水口６６を水槽１８とは別個の位置に設けても良い。或いは、底壁部２６に挿通孔を設けて、この挿通孔内に、第一給水パイプ６０の第一給水口６６側の端部を挿通配置することにより、第一給水口６６を、底壁部２６から水槽１８内に向かって開口するように設けることも可能である。
【０１０８】
また、水槽１８の周壁部２４は、必ずしも円筒形状とされている必要はないが、貯留水８８の排出時に、旋回流や渦流が確実に形成されるように、内周面形状が、角部のない筒形状とされていることが望ましい。従って、円筒状周壁部２４は、好ましくは、円筒形状の他、横断面形状が楕円形状や長円形状を呈する筒形状とされる。
【０１０９】
さらに、水槽１８の底壁部２６の形状も、特に限定されるものではなく、例示したテーパ形状に代えて、平面形状とされていても良い。
【０１１０】
また、副室内の給水口の配設部分と連通口との間に位置する部分や、連通口内に、給水口から供給される水の副室から主室に向かう流れを遮る遮蔽部材を設置して、かかる水の流れを無くすことも可能である。この遮蔽部材としては、副室内の給水口の配設部分と連通口との間に位置する部分や連通孔の大部分を塞ぐように設置される板材や、副室内の給水口の配設部分と連通口との間に位置する部分や連通孔の全部を塞ぐように設置されるメッシュ部材等が用いられる。これによっても、主室内での水の流れを無くして、給水完了直後の水面の揺らぎの発生を有利に防止できる。
【０１１１】
加えて、前記実施形態では、本発明を、自動車用内装部品の製造に用いられる製造装置と製造方法に適用したものの具体例を示したが、本発明は、被加飾物を、水面上に浮かべられた水溶性フィルムの表面に設けられる加飾層に押し当てて、水没させることにより、加飾層を被加飾物の表面に転写して、加飾物を製造するようにした加飾物の製造装置や製造方法の何れに対しても、有利に適用可能であることは、勿論である。
【０１１２】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【０１１３】
１０  内装部品                        １２  基板
１４  加飾層                          １６  製造装置
２０  給水装置                        ２２  排水管
２４  円筒状周壁部                    ２６  底壁部
２８  連通口                          ３０  接続筒部
４５  排水流路                        ４６  上側濾過フィルム装置
４８  下側濾過フィルム装置            ５４  転写フィルム
５８  給水ポンプ                      ６０  第一給水パイプ
６２  第二給水パイプ                  ６４  第三給水パイプ
６６  第一給水口                      ６８  第二給水口
７０  第三給水口                      ８２  主室
８４  副室                            ８８  貯留水
９０  水溶性フィルム                  ９２  残滓
９４  第四給水パイプ                  ９８  第四給水口
１０６  副室形成用筒部
【図１】
2014231173.tif 000003
【図２】
2014231173.tif 000004
【図３】
2014231173.tif 000005
【図４】
2014231173.tif 000006
【図５】
2014231173.tif 000007
【図６】
2014231173.tif 000008
【図７】
2014231173.tif 000009
【図８】
2014231173.tif 000010
【図９】
2014231173.tif 000011
【図１０】
2014231173.tif 000012
【図１１】
2014231173.tif 000013
【図１２】
2014231173.tif 000014
【図１３】
2014231173.tif 000015
【図１４】
2014231173.tif 000016